(57)【特許請求の範囲】
【請求項１】
工具取っ手部（１３）の先端部に、ロータリ耕耘機（１）の爪軸（２）の外周面に接当するつの部（１４）と、爪軸に固着された爪ブラケット（３）につの部（１４）の反対側から接当する接当部（１５）とが設けられていること特徴とする爪交換工具。
【請求項２】
つの部（１４）の先端側に爪ブラケット（３）の爪挿入孔（１７）に挿入される挿入部（１６）が設けられていることを特徴とする請求項１に記載の爪交換工具。
【請求項３】
工具取っ手部（１３）の基端側端部に爪ブラケット（３）の爪挿入孔（１７）に挿入される挿入部（１６）が設けられていることを特徴とする請求項１に記載の爪交換工具。
【請求項４】
角筒形状の工具取っ手部（１３）の先端部に板状の取付基部（１８）が固着され、取付基部（１８）の一方につの部（１４）が延長突設され、取付基部（１８）の他方側に接当部（１５）が設けられていることを特徴とする請求項１〜３のいずれか１項に記載の爪交換工具。
【請求項５】
接当部（１５）は更にその先端部を爪ブラケット（３）を囲むように折り返しがあることを特徴とする請求項４に記載の爪交換工具。
【発明の詳細な説明】
【技術分野】
【０００１】
本発明は、ロータリ耕耘機の耕耘爪の交換に使用される爪交換工具に関するものである。
【背景技術】
【０００２】
従来では、ロータリ耕耘機の耕耘爪を交換する場合、耕耘爪の爪ブラケットのナットをメガネレンチ等の工具で弛めたり締め付けたりする。この場合、ナットを弛めたり締め付けたりする反力により、爪軸が回転してしまうため、爪ブラケットの前後側面に嵌合するコの字状の嵌合部を先端側に有する爪交換工具を設け、嵌合部を爪ブラケットに嵌合して爪軸が回転しないように固定しながら、ナットをメガネレンチ等の工具で弛めたり締め付けたりしていた。（例えば特許文献１）。
【先行技術文献】
【特許文献】
【０００３】
【特許文献１】特開平７−２７４６０５号公報
【発明の概要】
【発明が解決しようとする課題】
【０００４】
ところで、トラクタ等の装着されるロータリ耕耘機の種類は複数あり、ロータリ耕耘機の種類によって、耕耘爪の爪ブラケットの大きさが異なり、このため、従来ではロータリ耕耘機の種類毎にコの字状の嵌合部の大きさを異ならせる必要があり、ロータリ耕耘機の種類に応じて異なる爪交換工具が必要で、汎用性に劣っていた。
本発明は上記問題点に鑑み、異なる種類のロータリ耕耘機の耕耘爪の交換にも使用できる汎用性の高い爪交換工具を提供することを目的とする。
【課題を解決するための手段】
【０００５】
請求項１においては、工具取っ手部（１３）の先端部に、ロータリ耕耘機（１）の爪軸（２）の外周面に接当するつの部（１４）と、爪軸に固着された爪ブラケット（３）につの部（１４）の反対側から接当する接当部（１５）とが設けられている点にある。
請求項２においては、請求項１の発明において、つの部（１４）の先端側に爪ブラケット（３）の爪挿入孔（１７）に挿入される挿入部（１６）が設けられるものである。
【０００６】
請求項３においては、請求項１の発明において、工具取っ手部（１３）の基端側端部に爪ブラケット（３）の爪挿入孔（１７）に挿入される挿入部（１６）が設けられるものである。
請求項４においては、請求項１〜３の発明において、角筒形状の工具取っ手部（１３）の先端部に板状の取付基部（１８）が固着され、取付基部（１８）の一方につの部（１４）が延長突設され、取付基部（１８）の他方側に接当部（１５）が設けられるものである。
【０００７】
請求項５においては、請求項４の発明において、接当部（１５）は更にその先端部を爪ブラケット（３）を囲むように折り返すものである。
【発明の効果】
【０００８】
請求項１によれば、工具取っ手部の先端部に、ロータリ耕耘機の爪軸の外周面に接当するつの部と、爪ブラケットにつの部の反対側から接当する接当部とが設けられているので、爪ブラケットのナットをメガネレンチ等の工具で弛めたり締め付けたりする場合に、爪交換工具はそのつの部を爪軸の外周面に接当させ、接当部を爪ブラケットにつの部の反対側からその前後壁に接当させれば、爪軸が回転しないように固定することができ、爪ブラケットの大きさが異なっていてもこの爪交換工具を使用できて、複数種のロータリ耕耘機に適用することができ、汎用性が大である。
【０００９】
請求項２によれば、つの部の先端側に爪ブラケットの爪挿入孔に挿入される挿入部が設けられているので、挿入部を耕耘爪が取付けられていない爪ブラケットの爪挿入孔に挿入することによっても、耕耘爪の爪ブラケットのナットをメガネレンチ等の工具で弛めたり締め付けたりする際の反力により、爪軸が回転するのを防ぐことができる。
請求項３によれば、工具取っ手部の基端側に爪ブラケットの爪挿入孔に挿入される挿入部が設けられているので、挿入部を耕耘爪が取付けられていない爪ブラケットの爪挿入孔に挿入することによっても、耕耘爪の爪ブラケットのナットをメガネレンチ等の工具で弛めたり締め付けたりする際の反力により、爪軸が回転するのを防ぐことができ便利である。
【００１０】
請求項４によれば、角筒形状の工具取っ手部の先端部に板状の取付基部が固着され、取付基部に円弧状のつの部の延長突設され、取付基部の工具取っ手部とは反対側に接当部が設けられているので、工具取っ手部につの部や接当部が備わった取付基部を固着するだけで、簡単に爪交換工具ができる。
請求項５によれば、接当部の先端部を爪ブラケットを囲むように折り返しがあるので、爪交換工具に横向きの力がかかったとしても外れにくいものである。
【図面の簡単な説明】
【００１１】
【図１】本発明の一実施形態を示す爪交換工具の使用状態を示す斜視図である。
【図２】同爪交換工具の正面図である。
【図３】同爪交換工具の平面図である。
【図４】同爪交換工具の底面図である。
【図５】同爪交換工具の背面図である。
【図６】同爪交換工具の左側面図である。
【図７】同爪交換工具の右側面図である。
【図８】他の実施形態を示す爪交換工具の正面図である。
【図９】本願発明との比較例を示す爪交換工具の斜視図である。
【図１０】同爪交換工具を上側から見た斜視図である。
【発明を実施するための形態】
【００１２】
以下、本発明の実施の形態を図面に基づいて説明する。
図１において、トラクタの後部に装着されるロータリ耕耘機１は爪軸２を備える。爪軸２上には多数の爪ブラケット３が軸方向及び周方向に離れて配置されている。この爪ブラケット３は爪軸２に対して軸心方向に直交する方向に突出状に溶接されている。
この爪ブラケット３は左右側壁３ａと回転方向の前後側壁３ｂを有し、内部に爪挿入孔１７を有する角筒状に形成され、なた爪等の耕耘爪５が取付けられている。
【００１３】
耕耘爪５の取付けは、爪ブラケット３に耕耘爪５の基部を挿入し、左右側壁３ａ及び耕耘爪５の基部に形成した挿通孔にボルト７を挿通すると共に、該ボルト７にナット８を螺合することによって、耕耘爪５が爪ブラケット３に締め付け固定されている。
耕耘爪５の先端側は左右方向の一方側又は他方側に屈曲しており、耕耘爪５の先端側が屈曲した側とは反対側にボルト７の頭部側が配置され、耕耘爪５の先端側が屈曲した側にナット８が爪ブラケットの外面に配置されている。これら屈曲方向の異なる耕耘爪と爪ブラケット３は、適宜爪軸上に配置されている。また、ボルト７の頭部は爪ブラケット３に形成した六角孔部等に嵌合されて廻り止めされている。
【００１４】
ロータリ耕耘機１の耕耘爪５を交換する場合、耕耘爪５の爪ブラケット３のナット８をメガネレンチ１０等の工具で弛めたり締め付けたりする。この場合、ナット８を弛めたり締め付けたりする反力により爪軸２が回転するのを防ぐため、爪交換工具１２が具備されている。
図１〜図７において、爪交換工具１２は鉄又はアルミ合金等の金属により構成され、角筒形状の工具取っ手部１３の先端部に取付基部１８が設けられ、この取付基部１８にロータリ耕耘機１の爪軸２の外周面に接当するつの部１４と、爪ブラケット３につの部１４の反対側から接当する接当部１５とが設けられ、工具取っ手部１３の基端側に爪ブラケット３の爪挿入孔１７に挿入される挿入部１６が設けられている。
【００１５】
工具取っ手部１３は角筒材で形成され、その先端部の一側面に板材で形成した取付基部１８の先端部に溶接により固着されている。取付基部１８は略長方形状であって、その前上部のコーナから前上方へ円弧状のつの部１４が突出され前下部のコーナから下方へ長方形状の取付片１８ａが突設されており、取付基部１８とつの部１４と取付片１８ａとは一体に形成されている。
【００１６】
接当部１５は断面Ｌ字材によって鉤状に形成され、その一片が取付片１８ａに溶接されており、取付基部１８を挟んで工具取っ手部１３とは反対側に配置されている。接当部１５は鉤形状であることにより、爪ブラケット３の前後側壁３ｂに沿う突出片１５ａと、爪ブラケット３の左右側壁３ａに沿う折曲片１５ｂ（折り返し）とを有している。突出片１５ａの幅は多種類のロータリ耕耘機１の爪ブラケット３の幅よりも広く形成されている。
【００１７】
挿入部１６は工具取っ手部１３の基部に帯板の一端を挿入して、工具取っ手部１３の開口孔２０を介して溶接により固着して形成されている。
上記実施の形態によれば、ロータリ耕耘機１の耕耘爪５を交換するために、耕耘爪５の爪ブラケット３のナット８をメガネレンチ等１０で弛める場合、爪交換工具１２の工具取っ手部１３を把持して、取付基部１８を爪ブラケット３の左右側壁３ａに沿わして、前上部のつの部１４を爪軸２の外周面に上側から接当し、前下部の接当部１５を爪ブラケット３に下側から接当し、この状態で、メガネレンチ１０の先端部をナット８に嵌合して、メガネレンチ１０の取っ手側を下側に回動すればよく、ナット８を弛める際の反力により爪軸２が回転するのを爪交換工具１２で防ぐことができ、ナット８をスムーズに弛めることができる。
【００１８】
また、耕耘爪５の爪ブラケット３のナット８をメガネレンチ１０で締め付ける場合、爪交換工具１２を表裏反転して、耕耘爪５を取付ける爪ブラケット３付近でボルトナットが逆に取り付けられた他の爪ブラケット３に対して取付基部１８を沿わし、つの部１４を爪軸２の外周面に下側から接当し、接当部１５をこの爪ブラケット３に上側から接当する。この状態で、メガネレンチ１０の先端部を耕耘爪５を取付けるナット８に嵌合して、メガネレンチ１０の取っ手側を上側に回動すればよく、ナット８を締め付ける際の反力により爪軸２が回転するのを、隣接する爪ブラケット３に接当する爪交換工具１２で防ぐことができ、ナット８をスムーズに締め付けることができる。
【００１９】
爪交換工具１２はつの部１４が爪軸２の外周面に接当し、接当部１５が爪ブラケット３につの部１４の反対側から接当すればよく、接当部１５の突出片１５ａが爪ブラケット３より充分に広いので、爪ブラケット３の大きさが異なっていても、複数種のロータリ耕耘機１に適用することができ、汎用性が大である。
また、隣接する爪ブラケット３に耕耘爪５が取付けられていないものがあれば、その隣接爪ブラケット３の爪挿入孔１７に工具取っ手部１３の基端側の挿入部１６を挿入することによって、耕耘爪５取付け側の爪ブラケット３のナット８をメガネレンチ１０等の工具で締弛の反力に抗することができ、爪軸２が回転するのを防ぐことができる。
【００２０】
なお、前記実施形態では、つの部１４を爪軸２の外周に１／３程度沿うように円弧状に短く突出しているが、図２に２点鎖線で示すように爪軸２の外周に１／２程度沿うように円弧状に長く突出するようにしてもよい。
図８は他の実施形態を示し、爪ブラケット３の爪挿入孔１７に挿入される挿入部１６が、工具取っ手部１３の基端側に代えてつの部１４の先端側に設けられている。その他の点は前記実施形態と同様の構成である。
【００２１】
図９及び図１０は本願発明との比較例を示すものであり、爪交換工具２２は工具取っ手部２３の先端側に爪ブラケット３に嵌合するコの字状の嵌合部２５が溶接により固着して設けられ、嵌合部２５は工具取っ手部２３の先端側に固着した取付片２６と左右一対の嵌合片２７とを有している。そして、左右一対の嵌合片２７の内面側に平板状の左右一対のスペーサ片２９，３０をそれぞれネジ３１により着脱自在に固着するようにしている。一対のスペーサ片２９，３０はその厚みが互いに異なっている。これにより、一対のスペーサ片２９，３０を両方共取り外した場合、左スペーサ片２９のみを固定した場合、右スペーサ片３０のみを固定した場合、両方のスペーサ片２９，３０を固着した場合の、４通りに爪ブラケット３を挟持する離間幅を調整でき、種々の大きさの爪ブラケット３に対応できるようにしている。
【００２２】
この図９及び図１０の場合、複数種のロータリ耕耘機１に適用することができ、汎用性が大であるが、異なる種類のロータリ耕耘機１毎に、スペーサ片２９，３０を脱着して、爪ブラケット３を挟持する離間幅を調整する必要があり、上記本願実施形態の爪交換工具１２に比べて使用が面倒である。
なお、前記実施形態では、工具取っ手部１３は角筒材で形成されているが、これに代え、中実の角棒材でも、丸棒で形成してもよい。工具取っ手部１３と取付基部１８とつの部１４とを１枚の平板を切り抜いて形成し、接当部１５を折曲片１５ｂのない１枚板で形成したり、取付基部１８をＬ字状に折曲して接当部１５を形成したりしてもよい。また、挿入部１６は工具取っ手部１３と一体的に形成してもよい。
【符号の説明】
【００２３】
１    ロータリ耕耘機
２    爪軸
３    爪部ラケット
１２    爪交換工具
１４    つの部
１５    接当部
１６    挿入部
１８    取付基部
１７    爪挿入孔
【図１】
0005234843.tif 000002
【図２】
0005234843.tif 000003
【図３】
0005234843.tif 000004
【図４】
0005234843.tif 000005
【図５】
0005234843.tif 000006
【図６】
0005234843.tif 000007
【図７】
0005234843.tif 000008
【図８】
0005234843.tif 000009
【図９】
0005234843.tif 000010
【図１０】
0005234843.tif 000011